(57)【要約】【課題】コントラストの向上を図ることが出来るとともに画像の形成に寄与する光量の減少を防止して発光の利用効率を向上させることが出来るプラズマディスプレイパネルを提供する。【解決手段】前面ガラス基板１０の表面側から見てこの前面ガラス基板１０の背面側の少なくとも行方向に隣接する行電極対（Ｘ，Ｙ）の互いに背中合わせに位置する二つのバス電極ＸｂとＹｂの間の部分およびこの部分からバス電極ＸｂとＹｂのそれぞれの透明電極が接続されている側に近接する部分に重なる部分に光吸収層１１Ａが形成され、この光吸収層１１Ａの背面側に光反射層１１Ｂが形成されている。【選択図】　　　図５
2004031287.tif 000002
【特許請求の範囲】
【請求項１】
前面基板の背面側に行方向に延び列方向に並設されてそれぞれ表示ラインを形成する複数の行電極対とこの行電極対を被覆する誘電体層が設けられ、背面基板の前面基板と放電空間を介して対向する側に列方向に延び行方向に並設されて行電極対と交差する位置においてそれぞれ放電空間に単位発光領域を構成する複数の列電極が設けられ、前記行電極が、各対毎に所要の放電ギャップを介して対向するように形成された透明電極と行方向に延びるように形成されて透明電極の放電ギャップ側とは反対側の端部に接続されたバス電極とから構成されているプラズマディスプレイパネルにおいて、
前記前面基板の表面側から見てこの前面基板の背面側の少なくとも行方向に隣接する行電極対の互いに背中合わせに位置する二つのバス電極の間の部分およびこの部分からバス電極の透明電極が接続されている側に近接する部分に重なる部分に光吸収層が形成され、この光吸収層の背面側に光反射層が形成されていることを特徴とするプラズマディスプレイパネル。
【請求項２】
前記光吸収層および光反射層が、バス電極の透明電極が接続されている側から張り出す位置まで形成されている請求項１に記載のプラズマディスプレイパネル。
【請求項３】
前記誘電体層の背面側の行方向に隣接する行電極対の互いに背中合わせに位置する二つのバス電極およびこの二つのバス電極の間の部分に対向する位置に、誘電体層の背面から突出する嵩上げ誘電体層が形成され、この嵩上げ誘電体層が光吸収層によって構成されるとともに、この嵩上げ誘電体層の背面側に光反射層が形成されている請求項１に記載のプラズマディスプレイパネル。
【請求項４】
前記光吸収層および光反射層が、前面基板の背面の少なくとも行方向に隣接する行電極対の互いに背中合わせに位置する二つのバス電極の間の部分およびこの二つのバス電極を被覆する位置に形成されている請求項１に記載のプラズマディスプレイパネル。
【請求項５】
前記光吸収層および光反射層が、さらに、行方向に隣接する単位発光領域の境界部分に対向する位置において列方向に沿って形成されている請求項１に記載のプラズマディスプレイパネル。
【発明の詳細な説明】
【０００１】
【発明の属する技術分野】
この発明は、プラズマディスプレイパネルのセル構造に関する。
【０００２】
【従来の技術】
近年、大型で薄型のカラー画面表示装置としてプラズマディスプレイパネルが普及して来ている。
【０００３】
図１は、このプラズマディスプレイパネルの従来のセル構造を模式的に示す正面図であり、図２は図１のＶ−Ｖ線における断面図、図３は図１のＷ−Ｗ線における断面図である。
【０００４】
この図１ないし３において、プラズマディスプレイパネルの表示面となる前面ガラス基板１側には、その裏面に、複数の行電極対（Ｘ１，Ｙ１）と、この行電極対（Ｘ１，Ｙ１）を被覆する誘電体層２と、この誘電体層２の裏面を被覆するＭｇＯからなる保護層３が順に設けられている。
【０００５】
各行電極Ｘ１，Ｙ１は、それぞれ、幅の広いＩＴＯ（Ｉｎｄｉｕｍ　Ｔｉｎ　Ｏｘｉｄｅ）等の透明導電膜からなる透明電極Ｘ１ａ，Ｙ１ａと、その導電性を補う幅の狭い金属膜からなるバス電極Ｘ１ｂ，Ｙ１ｂとから構成されている。
【０００６】
そして、行電極Ｘ１とＹ１とが放電ギャップｇ１を挟んで対向するように列方向に交互に配置されており、各行電極対（Ｘ１，Ｙ１）によって、マトリクス表示の１表示ライン（行）Ｌが構成される。
【０００７】
一方、放電ガスが封入された放電空間Ｓ１を介して前面ガラス基板１に対向する背面ガラス基板４には、行電極対Ｘ１，Ｙ１と直交する方向に延びるように配列された複数の列電極Ｄ１と、この列電極Ｄ１間にそれぞれ平行に延びるように形成された帯状の隔壁５と、この隔壁５の側面と列電極Ｄ１を被覆するそれぞれ赤，緑，青に色分けされた蛍光体層６とが設けられている。
【０００８】
そして、各表示ラインＬにおいて、列電極Ｄ１と行電極対（Ｘ１，Ｙ１）が交差する放電空間Ｓ１の領域に、隔壁５によって、単位発光領域を構成する放電セルＣ１がそれぞれ区画されている。
【０００９】
上記の面放電方式交流型プラズマディスプレイパネルにおける画像の表示は、以下のようにして行われる。
【００１０】
すなわち、先ず、アドレス操作により、各放電セルＣ１において行電極対（Ｘ１，Ｙ１）と列電極Ｄ１との間で選択的に対向放電が行われ、発光セル（誘電体層２に壁電荷が形成された放電セル）と非発光セル（誘電体層２に壁電荷が形成されなかった放電セル）とが、表示する画像に対応してパネル面に分布される。
【００１１】
このアドレス操作の後、全表示ラインＬにおいて一斉に、行電極対（Ｘ１，Ｙ１）に対して交互に放電維持パルスが印加され、この放電維持パルスが印加される毎に、発光セルにおいて面放電が発生される。
【００１２】
以上のようにして、各発光セルにおいて面放電による紫外線が発生され、各放電セルＣ１内の赤，緑，青の蛍光体層６がそれぞれ励起されて発光することにより、表示する画像が形成される。
【００１３】
上記のような従来の面放電方式交流型プラズマディスプレイパネルにおいては、非表示ラインである互いに背中合わせに配置されたバス電極Ｘ１ｂとＹ１ｂの間の部分において、入射してくる外光が反射されてしまうと、パネル面に形成される画面のコントラストが低下してしまうという問題を有している。
【００１４】
そこで、本願の出願人は、先に、図１および３において誘電体層２の背中合わせに配置されたバス電極Ｘ１ｂとＹ１ｂの間の非表示ラインの部分に、黒または暗色の帯状の光吸収層７を行方向に沿って延びるように形成して、この非表示ラインにおける外光の反射を防止することにより、画像のコントラストの向上を図るようにしたプラズマディスプレイパネルの提案を行っている。
【００１５】
【発明が解決しようとする課題】
しかしながら、上記のようにパネルの非表示ラインに黒色または暗色の光吸収層７を設けた場合には、蛍光体層６からの発光のうち光吸収層７の方向に向かう光がこの光吸収層７によって吸収されてしまい、このため、画像の形成に寄与する光量が減少してしまうという新たな問題が発生する。
【００１６】
この発明は、上記のような問題を解決するために為されたものである。
すなわち、この発明は、コントラストの向上を図ることが出来るとともに画像の形成に寄与する光量の減少を防止して発光の利用効率を向上させることが出来るプラズマディスプレイパネルを提供することを目的としている。
【００１７】
【課題を解決するための手段】
この発明（請求項１に記載の発明）によるプラズマディスプレイパネルは、上記目的を達成するために、前面基板の背面側に行方向に延び列方向に並設されてそれぞれ表示ラインを形成する複数の行電極対とこの行電極対を被覆する誘電体層が設けられ、背面基板の前面基板と放電空間を介して対向する側に列方向に延び行方向に並設されて行電極対と交差する位置においてそれぞれ放電空間に単位発光領域を構成する複数の列電極が設けられ、前記行電極が、各対毎に所要の放電ギャップを介して対向するように形成された透明電極と行方向に延びるように形成されて透明電極の放電ギャップ側とは反対側の端部に接続されたバス電極とから構成されているプラズマディスプレイパネルにおいて、前記前面基板の表面側から見てこの前面基板の背面側の少なくとも行方向に隣接する行電極対の互いに背中合わせに位置する二つのバス電極の間の部分およびこの部分からバス電極の透明電極が接続されている側に近接する部分に重なる部分に光吸収層が形成され、この光吸収層の背面側に光反射層が形成されていることを特徴としている。
【００１８】
【発明の実施の形態】
以下、この発明の最も好適と思われる実施の形態について、図面を参照しながら詳細に説明を行う。
【００１９】
図４ないし８は、この発明の実施形態の第１の例を示すものであって、図４はプラズマディスプレイパネル（以下、ＰＤＰという）の構成を模式的に示す正面図であり、図５は図４のＶ１−Ｖ１線における断面図、図６は図４のＶ２−Ｖ２線における断面図、図７は図４のＷ１−Ｗ１線における断面図、図８は図４のＷ２−Ｗ２線における断面図である。
【００２０】
この図４ないし８において、表示面である前面ガラス基板１０の背面に、複数の行電極対（Ｘ，Ｙ）が、前面ガラス基板１０の行方向（図４の左右方向）に延びるように平行に配列されている。
【００２１】
行電極Ｘは、Ｔ字形状に形成されたＩＴＯ等の透明導電膜からなる透明電極Ｘａと、前面ガラス基板１０の行方向に延びて透明電極Ｘａの狭小の基端部が接続される金属膜からなるバス電極Ｘｂとによって構成されている。
【００２２】
行電極Ｙも同様に、Ｔ字形状に形成されたＩＴＯ等の透明導電膜からなる透明電極Ｙａと、前面ガラス基板１０の行方向に延びて透明電極Ｙａの狭小の基端部が接続される金属膜からなるバス電極Ｙｂとによって構成されている。
【００２３】
この行電極ＸとＹは、前面ガラス基板１０の列方向（図４の上下方向）に交互に配列されており、バス電極ＸｂとＹｂに沿って並列されたそれぞれの透明電極ＸａとＹａが、互いに対となる相手の行電極側に延びて、透明電極ＸａとＹａの幅広部の頂辺が、それぞれ所要の幅の放電ギャップｇを介して互いに対向されている。
【００２４】
バス電極Ｘｂ，Ｙｂは、それぞれ表示面側の黒色導電層Ｘｂ１，Ｙｂ１と背面側の主導電層Ｘｂ２，Ｙｂ２の二層構造に形成されている。
【００２５】
前面ガラス基板１０の背面には、行電極対（Ｘ，Ｙ）を被覆するように誘電体層１１が形成されている。
【００２６】
この誘電体層１１の背面には、互いに隣接する行電極対（Ｘ，Ｙ）の背中合わせに隣り合うバス電極Ｘｂとバス電極Ｙｂの間の領域，背中合わせに隣り合うバス電極ＸｂとＹｂ、および、各バス電極Ｘｂ，Ｙｂからそれぞれの透明電極Ｘａ，Ｙａの基端側に所要の幅だけ張り出す領域と対向する位置に、誘電体層１１から背面側に突出する帯状の嵩上げ誘電体層１１Ａが、行方向に延びるように形成されている。
【００２７】
この嵩上げ誘電体層１１Ａは、黒色または暗色の誘電材料によって形成されることにより、光吸収層を構成している。
そして、この嵩上げ誘電体層（光吸収層）１１Ａの背面側に、光反射層１１Ｂが形成されている。
【００２８】
この誘電体層１１と嵩上げ誘電体層１１Ａおよび光反射層１１Ｂの背面側には、ＭｇＯからなる保護層１２が形成されている。
【００２９】
一方、前面ガラス基板１０と平行に配置された背面ガラス基板１３の表示側の面上には、列電極Ｄが、各行電極対（Ｘ，Ｙ）の互いに対となった透明電極ＸａおよびＹａに対向する位置において行電極対（Ｘ，Ｙ）と直交する方向（列方向）に延びるように、互いに所定の間隔を開けて平行に配列されている。
【００３０】
背面ガラス基板１３の表示側の面上には、さらに、列電極Ｄを被覆する白色の誘電体層１４が形成され、この誘電体層１４上に、隔壁１５が形成されている。
【００３１】
各隔壁１５は、各行電極対（Ｘ，Ｙ）毎に、その行電極Ｘ，Ｙのバス電極Ｘｂ，Ｙｂに対向する位置において行方向に延びる一対の横壁１５Ａと、平行に配列された各列電極Ｄの間の位置において対になった横壁１５Ａ間をそれぞれ列方向に延びる縦壁１５Ｂとによって梯子形状に形成されている。
【００３２】
そして、この梯子形状の隔壁１５が、互いに隣接する行電極対（Ｘ，Ｙ）の背中合わせに隣り合うバス電極ＸｂとＹｂの間の領域に対向する位置に形成される隙間ＳＬを介して、列方向に互いに平行に配列されており、この隔壁１５によって、前面ガラス基板１０と背面ガラス基板１３の間の放電空間Ｓが、各行電極対（Ｘ，Ｙ）において対となった透明電極ＸａとＹａに対向する部分毎に区画されて、それぞれ方形の放電セルＣが形成されている。
【００３３】
隔壁１５の縦壁１５Ｂの表示側の面は保護層１２に当接されておらず（図６および７参照）、その間に隙間ｒが形成されているが、横壁１５Ａの表示側の面が、保護層１２の嵩上げ誘電体層１１Ａおよび光反射層１１Ｂを被覆している部分に当接されていて（図５および６，８参照）、列方向において互いに隣接する放電セルＣの間が閉じられている。
【００３４】
各放電セルＣに面する隔壁１５の横壁１５Ａおよび縦壁１５Ｂの側面と誘電体層１４の表面には、これらの五つの面を全て覆うように蛍光体層１６が形成され、この蛍光体層１６の色が、各放電セルＣ毎に赤，緑，青の色が行方向に順に並ぶように設定される。
そして、各放電セルＣ内には、放電ガスが封入されている。
【００３５】
上記のＰＤＰは、行電極対（Ｘ，Ｙ）がそれぞれマトリクス表示画面の１表示ライン（行）Ｌを構成している。
【００３６】
このＰＤＰにおける画像表示は、従来のＰＤＰと同様に行われる。
すなわち、先ず、アドレス放電期間に、各放電セルＣにおいて行電極対（Ｘ，Ｙ）の一方の行電極Ｙと列電極Ｄとの間で選択的に放電が行われ、全表示ラインＬに発光セル（誘電体層１１に壁電荷が形成された放電セル）と非発光セル（誘電体層１１に壁電荷が形成されなかった放電セル）とが、表示する画像に対応して、パネル面に分布される。
【００３７】
このアドレス放電期間の後の維持放電期間に、全表示ラインＬにおいて一斉に、行電極対（Ｘ，Ｙ）の行電極Ｘ，Ｙに対して交互に放電維持パルスが印加され、この放電維持パルスが印加される毎に、各発光セルにおいて放電ギャップｇを介して行電極Ｘ，Ｙ間で面放電が発生される。
【００３８】
このようにして、発光セルにおける面放電により紫外線が発生され、放電セルＣ内の赤，緑，青に色分けされた各蛍光体層１６がそれぞれ励起されて発光することにより、表示する画像が形成される。
【００３９】
このとき、図９に示されるように、蛍光体層１６からの発光のうち嵩上げ誘電体層１１Ａの方向に向かう光ｈは、この嵩上げ誘電体層１１Ａの背面側に形成された光反射層１１Ｂによって反射され、蛍光体層１６によってさらに反射される等の経路を辿ることにより、放電セルＣ内から前面ガラス基板１０の表示面側に出力されてゆく。
【００４０】
このようにして、蛍光体層１６からの発光のうち、従来はパネルの非表示ラインに設けられている光吸収層によって吸収されていた光が、光反射層１１Ｂによって反射されて画像形成に寄与することが出来るようになるので、蛍光体層１６からの発光の利用効率が向上される。
【００４１】
そして、このパネルの非表示ラインに入射してくる外光は、各バス電極Ｘｂ，Ｙｂを構成している黒色導電層Ｘｂ１，Ｙｂ１および光吸収層である嵩上げ誘電体層１１Ａによって吸収されるので、外光の反射により画像のコントラストが悪化するのが防止される。
【００４２】
なお、上記の例において、黒色または暗色の嵩上げ誘電体層１１Ａが、各バス電極Ｘｂ，Ｙｂからそれぞれの透明電極Ｘａ，Ｙａの基端側に張り出す位置にまで形成されているのは、表示光として利用できないバス電極Ｘｂ，Ｙｂにおける放電発光を抑制するためであり、さらに、ギャップｇから離れているために放電発光が弱まっている透明電極ＸａおよびＹａの基端部分に前面ガラス基板１０側から入射する外光を吸収するとともに、光吸収層が形成されていない横壁１５Ａからの外光の反射を防止するためであり、これによって、画像のコントラストをさらに向上させることが出来るようになる。
【００４３】
ここで、このように嵩上げ誘電体層１１Ａを各バス電極Ｘｂ，Ｙｂからそれぞれの透明電極Ｘａ，Ｙａの基端側に張り出す位置にまで形成しても、その背面側に光反射層１１Ｂが形成されていることによって、この部分に向かう蛍光体層１６からの発光は、嵩上げ誘電体層１１Ａに吸収されることなく、画像形成に利用される。
【００４４】
図１０ないし１４は、この発明の実施形態における第２の例を示している。
この例においては、黒色または暗色の光吸収層２０Ａが、前面ガラス基板１０の背面側の互いに隣接する行電極対（Ｘ，Ｙ）の背中合わせに隣り合うバス電極Ｘｂとバス電極Ｙｂの間の領域，背中合わせに隣り合うバス電極ＸｂとＹｂ，各バス電極Ｘｂ，Ｙｂからそれぞれの透明電極Ｘａ，Ｙａの基端側に所要の幅だけ張り出す領域、および、隔壁１５の縦壁１５Ｂに対向する部分を被覆するように、形成されている。
【００４５】
従って、この光吸収層２０Ａは、前面ガラス基板１０の表示面側から見た場合に、図１５に示されるように、放電セルＣに対向する方形の部分のみが開口されたマトリックス状の平面形状を有している。
【００４６】
そして、この光吸収層２０Ａの背面側に、この光吸収層２０Ａの背面を被覆するように、光反射層２０Ｂが形成されている。
【００４７】
さらに、前面ガラス基板１０の背面には、行電極対（Ｘ，Ｙ）および光吸収層２０Ａ，光反射層２０Ｂを被覆するように誘電体層２１が形成されており、この誘電体層２１の背面に、互いに隣接する行電極対（Ｘ，Ｙ）の背中合わせに隣り合うバス電極ＸｂとＹｂの間の領域，背中合わせに隣り合うバス電極ＸｂとＹｂ、および、各バス電極Ｘｂ，Ｙｂからそれぞれの透明電極Ｘａ，Ｙａの基端側に所要の幅だけ張り出す領域と対向する位置に、誘電体層２１の背面側に突出する帯状の嵩上げ誘電体層２１Ａが、誘電体層２１と同じ透明誘電材料によって、行方向に延びるように形成されている。
【００４８】
他の部分は、前述した第１の例のＰＤＰとほぼ同様の構成であり、同一の符号が付されている。
【００４９】
この例においても、第１の例と同様に、光吸収層２０Ａによって、パネルの非表示ラインに入射してくる外光が吸収されてその反射が防止されることにより形成される画像のコントラストの向上が図られ、そして、この光吸収層２０Ａの背面側に形成された光反射層２０Ｂによって、パネルの非表示ラインの方向に向かってくる蛍光体層１６からの発光が反射されて、画像形成に利用されることになるので、蛍光体層１６からの発光の利用率を向上させることが出来る。
【００５０】
そして、この例においては、光吸収層２０Ａが隔壁１５の縦壁１５Ｂに対向する部分にも形成されていることにより、この部分に入射してくる外光の反射も防止されてさらに画像のコントラストの向上が図られるとともに、この部分に向かう蛍光体層１６からの発光も光反射層２０Ｂによって反射されるので、その光の利用効率がさらに向上される。
【００５１】
なお、上記の各例において、嵩上げ誘電体層を隔壁１５の縦壁１５Ｂに対向する部分にも設けるようにしてもよく、この場合、第１の例においては、光吸収層を構成する嵩上げ誘電体層とその背面に形成される光反射層が、いわゆる井桁形状に形成される。
【００５２】
上記のようなこの発明によるプラズマディスプレイパネルの実施形態における各例は、前面基板の背面側に行方向に延び列方向に並設されてそれぞれ表示ラインを形成する複数の行電極対とこの行電極対を被覆する誘電体層が設けられ、背面基板の前面基板と放電空間を介して対向する側に列方向に延び行方向に並設されて行電極対と交差する位置においてそれぞれ放電空間に単位発光領域を構成する複数の列電極が設けられ、前記行電極が、各対毎に所要の放電ギャップを介して対向するように形成された透明電極と行方向に延びるように形成されて透明電極の放電ギャップ側とは反対側の端部に接続されたバス電極とから構成されているプラズマディスプレイパネルにおいて、前記前面基板の表面側から見てこの前面基板の背面側の少なくとも行方向に隣接する行電極対の互いに背中合わせに位置する二つのバス電極の間の部分およびこの部分からバス電極の透明電極が接続されている側に近接する部分に重なる部分に光吸収層が形成され、この光吸収層の背面側に光反射層が形成されている実施形態を、その上位概念とするものである。
【００５３】
この実施形態におけるプラズマディスプレイパネルは、各行電極の透明電極とこれに対向する列電極との間で選択的に行われる対向放電および各行電極対において放電ギャップを介して透明電極間で行われる面放電によって表示画像の形成が行われるが、この画像の形成の際に、非表示ラインとなる互いに背中合わせに位置する二つのバス電極の間の部分と、面放電が発生される放電ギャップから離れているために放電発光が弱まっているバス電極に近接する部分が光吸収層によってカバーされていることにより、前面基板の表示面側から画像の非表示ラインに入射する外光が光吸収層によって吸収されてその反射が防止されるので、画面のコントラストを向上させることができる。
【００５４】
そして、透明電極間で行われる面放電によって表示画像の形成が行われる際に、単位発光領域内において発生される発光のうち非表示ラインの方向に向かう光は、この非表示ラインに形成されている光吸収層の背面側に形成された光反射層によって反射されることにより、単位発光領域内から前面基板の表示面側に出力されてゆく。
【００５５】
このようにして、従来は単位発光領域内において発生される発光のうちパネルの非表示ラインに設けられている光吸収層によって吸収されていた画像形成のための光が、光反射層によって反射されて画像形成に寄与するようになるので、単位発光領域内において発生される発光の利用効率を向上させることが出来るようになる。
【図面の簡単な説明】
【図１】従来のプラズマディスプレイパネルを示す正面図である。
【図２】図１のＶ−Ｖ線における断面図である。
【図３】図１のＷ−Ｗ線における断面図である。
【図４】この発明の実施形態の第１の例を模式的に示す正面図である。
【図５】図４のＶ１−Ｖ１線における断面図である。
【図６】図４のＶ２−Ｖ２線における断面図である。
【図７】図４のＷ１−Ｗ１線における断面図である。
【図８】図４のＷ２−Ｗ２線における断面図である。
【図９】同例における光反射層による光の反射の状態を示す説明図である。
【図１０】この発明の実施形態の第２の例を模式的に示す正面図である。
【図１１】図１０のＶ３−Ｖ３線における断面図である。
【図１２】図１０のＶ４−Ｖ４線における断面図である。
【図１３】図１０のＷ３−Ｗ３線における断面図である。
【図１４】図１０のＷ４−Ｗ４線における断面図である。
【図１５】同例における光吸収層の形状を部分的に示す平面図である。
【符号の説明】
１０　　　　　　　…前面ガラス基板（前面基板）
１１　　　　　　　…誘電体層
１１Ａ　　　　　　　…嵩上げ誘電体層（光吸収層）
１１Ｂ　　　　…光反射層
１２　　　　　　　…保護層
１３　　　　　　　…背面ガラス基板（背面基板）
１４　　　　　　　…誘電体層
１５　　　　　　　…隔壁
１５Ａ　　　　　　…横壁
１５Ｂ　　　　　　…縦壁
１６　　　　　　　…蛍光体層
２０Ａ　　　　　　…光吸収層
２０Ｂ　　　　　　…光反射層
Ｘ　　　　　　　　…行電極
Ｙ　　　　　　　　…行電極
Ｘａ　　　　　　　…透明電極
Ｙａ　　　　　　　…透明電極
Ｘｂ　　　　　　　…バス電極
Ｙｂ　　　　　…バス電極
Ｓ　　　　　　…放電空間
Ｃ　　　　　　…放電セル（単位発光領域）
ｇ　　　　　　…ギャップ
【図１】
2004031287.tif 000003
【図２】
2004031287.tif 000004
【図３】
2004031287.tif 000005
【図４】
2004031287.tif 000006
【図５】
2004031287.tif 000007
【図６】
2004031287.tif 000008
【図７】
2004031287.tif 000009
【図８】
2004031287.tif 000010
【図９】
2004031287.tif 000011
【図１０】
2004031287.tif 000012
【図１１】
2004031287.tif 000013
【図１２】
2004031287.tif 000014
【図１３】
2004031287.tif 000015
【図１４】
2004031287.tif 000016
【図１５】
2004031287.tif 000017